(57)【要約】      （修正有）【課題】設計構造が簡素で強度性、耐久性、安全性を有し、時、場所を選ばず、手動簡単操作で大殿筋などの大筋肉部位や深層筋肉部位などの、比較的強度を要求される部位にまで確実な押圧効果を得られる手動式ローラーマッサージ器を提供する。【解決手段】強度性、耐久性、慣性を有す金属、カーボン材、ＦＲＰ材、樹脂材から成る心棒自体がローラーの役目を果たすローラー兼心棒１の両端に、２個以上のベアリング３を設置したグリップを貫通軸着させ、ローラー兼心棒と両端のグリップが、それぞれ回転自由になるように取り付けて手動式ローラーマッサージ器を構成する。【選択図】図３
0003154453.tif 000002
【実用新案登録請求の範囲】
【請求項１】
ローラー部分と心棒部分を一体成型したローラー兼心棒の両端に、ベアリングを内蔵設置させたグリップを軸着させ、ローラー兼心棒と各グリップとがそれぞれ回転自由になるよう取り付けたことを特徴とする手動式ローラーマッサージ器具。
【請求項２】
前記のローラー兼心棒の材質に強度性、耐久性、慣性の有する物を考慮し決定した金属またはカーボン材、ＦＲＰ材、樹脂材を使用したことを特徴とする請求項１の手動式ローラーマッサージ器具。
【請求項３】
前記のローラー兼心棒の人体に接触押圧する部分に断面直径が６ｍｍ〜２５ｍｍの長さが２００ｍｍ〜６００ｍｍを使用したことを特徴とする請求項１又は請求項２の手動式ローラーマッサージ器具。
【考案の詳細な説明】
【技術分野】
【０００１】本考案は手動式ローラーマッサージ器具に関し、大殿筋等の大筋肉部位や深部筋層部位に効果的な押圧マッサージすることのできる手動式ローラーマッサージ器具に関する。
【背景技術】
【０００２】健康ブームの昨今健康維持を目的として、手軽な手動式の様々な健康マッサージグッズ健康治療器具が販売されている。それらのグッズ、器具等を用いて、自身の手動力により施術される事が多い。手動式器具の中でも人体表面に回転部を接触押圧しながら往復移動させるといった、簡単操作で人体の表面の広範囲を短時間で施術可能な手動式ローラーマッサージ器具なる物が市場の多くを占めている。【０００３】手動式ローラーマッサージ器具はその簡素な構造上、雑貨と共に販売されている安価な物から専門治療機関で使用目的とした、比較的高価な物までがある。前者の雑貨と共に販売される安価な物はプラスチック材やゴム材又は木材を用いてパーツ全体の殆どを構成している。その為可動部、回転部の構造も粗悪で、ローラーの回転がスムーズでない物が多い。また使用材質的、構造的にも、強度、耐久性は備わっておらず、安全面でも不安があり一時的な慰安程度にしかすぎない。【０００４】後者の専門治療機関等で使用目的の手動式ローラーマッサージ器具なる物も存在する。
しかしその手動式ローラーマッサージ器具は専門師が他者に施術する目的に構成された構造で自身が手軽に使用し確実な効果が得られるとは限らない。また専門治療機関等で使用目的とし製造されている為、専門器具の分野で、一般市場には殆ど出回っておらず、入手方も難しく比較的高額でもある。【０００５】従来手動式ローラーマッサージ器具の基本構造は、人体に押圧接触させるローラー部分とそのローラー部分を支持する心棒部分と握持するグリップ部から構成される。【０００６】形態は比較的小型の物では、グリップの片先端に、固定された心棒部分にローラー部分が回転可能に構成した物を装備した片手持ちタイプ等がある（特許文献１）。【０００７】また比較的大型の物では、心棒部分の両端にグリップを固着させ、成型した樽型円柱状や球体状又はキャスター状のローラー部分を、心棒部分に対し回転可能になるよう軸着させた両持ちタイプがある。（特許文献２）【０００８】いずれにせよ、手動式ローラーマッサージ器具の基本構造は、人体へ接触するローラー部分は固定、固着された心棒部分に、それぞれ回転するように貫通軸着させている。
ローラー部分の形状、個数など様々だが、すべてにおいて心棒部分に対して覆い被さる構造である。その構造では人体に接触押圧するローラー部分の径が必然と大きくなり当然接触面積に対しての押圧力は小さくなる。その構造故に大殿筋などの大筋肉部位及び深部筋層部位などの比較的強度の押圧力を求められる部位には、効果的ではなかった。【０００９】
【先行技術文献】
【特許文献】
【特許文献１】特開平１１−２２６０７３号公報
【特許文献２】特開平１１−１９１５１号公報
【考案の概要】
【考案が解決しようとする課題】
【００１０】人体細胞内の蓄積した疲労物質、老廃物等速やかに体外へ排出した方が健康上好ましいと思われる物質を血行促進させる事により解決しようとする方法として、古来より按摩指圧マッサージ術は存在し、専門の技術を取得した専門師により施術される専門治療機関等がある。長時間専門訓練で技術を取得した専門師により、人体の各部位に応じて適確な押圧力で施術され、大殿筋などの大筋肉部位や深部筋層部位などの比較的強度の押圧力を要求される部位にも確実な効果を施す。しかし専門治療機関による施術は時間的また経済的にも手軽に施術できるものではなく、万人向けとは言えない。【００１１】前項で記載した従来の手動式ローラーマッサージ器具は、手軽で携帯性もよく時間的、経済的にも有効だが、自身による手動施術効果は、人体各部位に適確な押圧効果があるとは言えない。特に比較的強度の押圧力を要求される部位に適確な押圧力を施すことは難しく強負荷を掛けることにより構成、構造上安全とも言えない。【００１２】本考案の手動式ローラーマッサージ器具は万人が簡易に時と場所を選ばず使用でき、強度性、耐久性、安全性にも優れ、比較的強度の押圧力を要求される部位にまで専門職と同等の適確な押圧効果を得られることを特徴とする。
【課題を解決する手段】
【００１３】本考案は手動式ローラーマッサージ器具の特徴として、時と場所を選ばず手軽に簡単操作で短時間に於いて人体表面の広範囲を施術出来ることや携帯性の良さ等の利点と専門治療レベルの効果的な押圧力を兼ね備える手動式マッサージ器具を以下のように解決する。
【００１４】本考案は従来手動式ローラーマッサージ器具の回転ローラー部分と、それを軸支持とする心棒部分とを一体化させ、心棒自体がローラーの役目を果たす構造とする。
【００１５】ローラー部分と心棒部分を一体成型したローラー兼心棒の両端に、ベアリングを内蔵設置したグリップを貫通し軸着させる。ローラー兼心棒と両端の各グリップはそれぞれ回転自由になるよう取り付けられる。
【００１６】ローラー兼心棒の材質は、体積に対し比較的比重を有し、強度性、耐久性、慣性等を考慮し決定された金属、カーボン材、ＦＲＰ材、樹脂材等を用いる。
【００１７】ローラー兼心棒の人体表面に接触押圧する部分の断面直径は６ｍｍ〜２５ｍｍの比較的細い直径の物を使用する。長さは用途に合わせ２００ｍｍ〜６００ｍｍの物を使用する。
【効果】
【００１８】本考案の手動式ローラーマッサージ器具は課題を解決することにより以下の効果を有する。
【００１９】本考案の手動式ローラーマッサージ器具は簡単構造と共にスリムな形態から、携帯性に優れ時、場所を制約されることなく簡単操作で自身による手動マッサージが可能である。
【００２０】本考案の手動式ローラーマッサージ器具は回転ローラー部分と心棒部分を一体化することにより６ｍｍ〜２５ｍｍといった細い径のローラー部分を所有することと、体積に対し比較的比重のある材質の金属等を用いる為、器具本体の自重により、人体へ接触する箇所へ施術者が負荷を入れることなく、適度の均一した押圧力を維持した状態で施術できる。
【００２１】本考案の手動式ローラーマッサージ器具は細い径のローラー部分を所有する為、人体の関節部近くの施術が難しい箇所にもピンポイント的に施術可能である。
【００２２】本考案手動式ローラーマッサージ器具は細身のローラー部分と比較的自重を有する本体の為、施術者が少ない負荷を掛けることでも、大殿筋などの大筋肉部位及び深部筋層部位等の比較的強い押圧力を要求される部位に、効果的な押圧力を発することができる。
【００２３】本考案手動式ローラーマッサージ器具のローラー兼心棒の材質は強度性、耐久性、慣性を有する物を考慮した材質から構成される為、半永久的使用可能な器具で、破損等の心配もなく安全面でも優れている。
【００２４】本考案手動ローラーマッサージ器具は必要に応じ、人体に接触するローラー部分に複数の他形のローラーを設置したい場合、心棒自体が回転する構造上、複数の各ローラー自体を回転可能な構造にすることなく設置できる。
【図面の簡単な説明】
【００２５】
【図１】図１は本考案の手動式ローラーマッサージ器具実施例の全体側面外観図である。
【図２】図２は図１に対しての側面図である。
【図３】図３は本考案手動式ローラーマッサージ器具実施例のグリップ長手方向に中央部での断面図である。
【符号の説明】
【００２６】１    ローラー兼心棒
２    グリップ本体
３    ベアリング
４    樹脂ワッシャ
５    金属ワッシャ
６    金属止めビス
７    グリップキャップ
（１ａ）    ローラー兼心棒の人体に接触するローラー部分
【実施するための形態】
【００２７】本考案手動式ローラーマッサージ器具の実施例を図１〜図３を用いて説明する。
【００２８】図１は本考案手動式ローラーマッサージ器具実施例の全体側面外観図であり図２は図１に対しての側面外観図である。
【００２９】図３は片方のグリップ長手方向に対し中央部での断面図であり、以下のように構成を説明する。
【００３０】従来はローラー部分と心棒部分が別部品からなるが、ローラー兼心棒１のように一体成型した物を使用する。
【００３１】ローラー兼心棒１の両端は、予め２個のベアリング３が内蔵設置されたグリップ本体２に挿入される長さをベアリング３の内径に合わせ小径加工を施す。また両端断面部中心に金属止めビス６の挿入ネジ穴加工を施す。
【００３２】各２個ベアリング３を内蔵設置されたグリップ本体２を上記加工されたローラー兼心棒１の両端に挿入させ、樹脂ワッシャ４と金属ワッシャ５を介し金属止めビス６で定着させる。
また美観上各グリップ外側片端にグリップキャップ７を挿入固定させる。
【００３３】上記成型、構成された本考案手動式ローラーマッサージ器具実施例は、ローラー兼心棒１と両端の各グリップ本体２はそれぞれ回転自由になるよう軸着し取り付けられる。
【００３４】本実施例ではローラー兼心棒１の人体に接触するローラー部分（１ａ）の断面形状は真円形状だが、正５角形〜正１０角形等の多角形の形状でも構わない。またローラー兼心棒１の人体に接触するローラー部分（１ａ）の長さは用途に応じて２００ｍｍ〜６００ｍｍの範囲で決定する。
【００３５】ローラー兼心棒１の材質は体積に対し比較的比重を有し、強度性、耐久性、慣性を有する物を考慮し金属、カーボン材、ＦＲＰ材、樹脂材等から決定する。また材形も無垢棒材に限らず管状材でも良い。
【００３６】グリップ本体２に内蔵設置される各ベアリングの使用個数は２個に限定することはない。
またグリップ本体２の材質は成型加工しやすい樹脂等が好ましいが、アルミ等の金属でも良い。握持するグリップ本体２の部分は握持しやすい形状にすることが好ましい。
【００３７】上記構成し完成された本考案手動式ローラーマッサージ器具実施例の両端グリップ本体２を施術者が握持し、施術したい人体皮膚上面に対し、ローラー兼心棒１の人体に接触するローラー部分（１ａ）を接触させ筋肉繊維に添い平行往復動作をすることで一定の押圧力を維持しながら施術することができる。
【００３８】操作方法は平行往復動作等のローリング動作に限らず、人体皮膚上面に対して垂直に押圧しても、比較的自重を有す本体と細身の人体に接触するローラー部分（１ａ）により効果的な押圧施術も可能である。
【００３９】上記施術により血流作用を促し筋肉痛等の症状を軽減する効果をもたらす。
【図１】
0003154453.tif 000003
【図２】
0003154453.tif 000004
【図３】
0003154453.tif 000005
【手続補正書】
【提出日】平成21年7月15日(2009.7.15)
【手続補正１】
【補正対象書類名】実用新案登録請求の範囲
【補正対象項目名】全文
【補正方法】変更
【補正の内容】
【実用新案登録請求の範囲】
【請求項１】
ローラー部分と心棒部分を一体成型したローラー兼心棒の両端に、ベアリングを内蔵設置させたグリップを軸着させ、ローラー兼心棒と各グリップとがそれぞれ回転自由になるよう取り付けたことを特徴とする手動式ローラーマッサージ器具。
【請求項２】
前記のローラー兼心棒の材質に強度性、耐久性、慣性の有する物を考慮し決定した金属またはカーボン材、ＦＲＰ材、樹脂材を使用したことを特徴とする請求項１の手動式ローラーマッサージ器具。
【請求項３】
前記のローラー兼心棒の人体に接触押圧する部分は断面直径が６ｍｍ〜２５ｍｍ、長さが２００ｍｍ〜６００ｍｍであることを特徴とする請求項１又は請求項２の手動式ローラーマッサージ器具。